(57)【要約】【課題】本発明は、電子機器において、静電対策を実施するものであるので、別個に静電対策を講じるものよりも構成の簡素化を図ることができる。【解決手段】電子機器５は、電子機器本体６と、この電子機器本体６に対して開閉自在に設けた表示装置７とを備え、前記表示装置７は、前記電子機器本体６に対して開閉自在に設けた支持板９と、この支持板９の表面側に装着したディスプレイ８と、このディスプレイ８の表面側に設けるとともに、このディスプレイ８を前記支持板９に取り付ける枠状のフレーム１０と、このフレーム１０の表面側に設けた表面カバー１１と、前記支持板９の背面側に設けた背面カバー１２とを備え、前記フレーム１０を金属板で形成するとともに前記支持板９の背面側には、前記ディスプレイ８の制御基板１４を装着したものである。【選択図】図４
2013073174.tif 000002
【特許請求の範囲】
【請求項１】
電子機器本体と、この電子機器本体に対して開閉自在に設けた表示装置とを備え、
前記表示装置は、前記電子機器本体に対して開閉自在に設けた支持板と、この支持板の表面側に装着したディスプレイと、このディスプレイの表面側に設けるとともに、このディスプレイを前記支持板に取り付ける枠状のフレームと、このフレームの表面側に設けた表面カバーと、前記支持板の背面側に設けた背面カバーとを備え、
前記フレームを金属板で形成するとともに前記支持板の背面側には、前記ディスプレイの制御基板を装着した電子機器。
【請求項２】
前記表面カバー、および、背面カバーは、表示装置に固定した請求項１に記載の電子機器。
【請求項３】
前記ディスプレイは、前記フレーム内に装着後、このフレームを支持板に固定することで支持板の表面側に、このディスプレイを装着した請求項１、または、２に記載の電子機器。
【発明の詳細な説明】
【技術分野】
【０００１】
本発明は、電子機器に関するものである。
【背景技術】
【０００２】
従来のたとえば車内の天井部分に装着される電子機器は、以下のような構成となっていた。
【０００３】
すなわち、電子機器本体と、この電子機器本体に対して開閉自在に設けた表示装置とを備え、前記表示装置は、前記電子機器本体に対して開閉自在に設けた支持板と、この支持板の表面側に装着したディスプレイと、このディスプレイの表面側に設けた表面カバーと、前記支持板の背面側に設けた背面カバーとを備え、前記ディスプレイの背面側には制御基板を装着した構成となっていた（たとえばこれに類似する先行文献としては下記特許文献１が存在する）。
【先行技術文献】
【特許文献】
【０００４】
【特許文献１】特開２００１−２７２９２０号公報
【発明の概要】
【発明が解決しようとする課題】
【０００５】
上記従来例においては、ディスプレイの静電対策を行うためにこのディスプレイの表面外周にアースラインを別個設けた構成となっており、このように静電対策を別個に設ければその分構成が複雑になってしまう。
そこで本発明は、構成の簡素化を図ることを目的とする。
【課題を解決するための手段】
【０００６】
そして、この目的を達成するために本発明の電子機器は、電子機器本体と、この電子機器本体に対して開閉自在に設けた表示装置とを備え、前記表示装置は、前記電子機器本体に対して開閉自在に設けた支持板と、この支持板の表面側に装着したディスプレイと、このディスプレイの表面側に設けるとともに、このディスプレイを前記支持板に取り付ける枠状のフレームと、このフレームの表面側に設けた表面カバーと、前記支持板の背面側に設けた背面カバーとを備え、前記フレームを金属板で形成するとともに前記支持板の背面側には、前記ディスプレイの制御基板を装着し、これにより所期の目的を達成するものである。
【発明の効果】
【０００７】
以上のように、本発明の電子機器は、電子機器本体と、この電子機器本体に対して開閉自在に設けた表示装置とを備え、前記表示装置は、前記電子機器本体に対して開閉自在に設けた支持板と、この支持板の表面側に装着したディスプレイと、このディスプレイの表面側に設けるとともに、このディスプレイを前記支持板に取り付ける枠状のフレームと、このフレームの表面側に設けた表面カバーと、前記支持板の背面側に設けた背面カバーとを備え、前記フレームを金属板で形成するとともに前記支持板の背面側には、前記ディスプレイの制御基板を装着したものであるので、構成の簡素化を図ることができる。
【０００８】
すなわち、本発明においては、前記支持板の表面側にディスプレイを装着するために設けた金属製で枠状のフレームにより、静電対策を実施するものであるので、別個に静電対策を講じるものよりも構成の簡素化を図ることができるものである。
【０００９】
また、本発明においては、支持板の背面側にディスプレイの制御基板を装着したものであるので、この制御基板からのノイズがディスプレイに影響を与えにくくなる。
【００１０】
さらに、本発明においては、支持板にディスプレイ、フレーム、制御基板を取り付けるものであるので、これら一体化された支持板、ディスプレイ、フレーム、制御基板から表面カバーと背面カバーを容易に取り外し、例えば破損時の交換や色柄変更も容易に行うことができる。
【図面の簡単な説明】
【００１１】
【図１】本発明の一実施形態における電子機器を装着した自動車を示す図
【図２】同電子機器の表示装置を閉じた状態を示す斜視図
【図３】同電子機器の表示装置を閉じた状態を示す斜視図
【図４】同電子機器の分解斜視図
【図５】同電子機器の分解斜視図
【図６】同電子機器の分解斜視図
【図７】同電子機器の分解斜視図
【図８】同電子機器の分解斜視図
【図９】同電子機器の分解斜視図
【発明を実施するための形態】
【００１２】
以下、本発明の実施の形態を添付図面を用いて説明する。
【００１３】
（実施の形態１）
図１において、１は自動車を示し、その車内２の後部座席３前方の天井４部分には、電子機器５が取り付けられている。この電子機器５は、その電子機器本体６から表示装置７を開放し、そのディスプレイ（図４の８）に映像を映すことで、例えば映画やテレビを楽しむものである。この電子機器５は、図２、図３に示す如く、非使用時は、電子機器本体６に対して表示装置７を閉じた状態とすることで、後部座席３前方の空間を確保するようになっている。
【００１４】
さて、前記電子機器５は、図４に示す如く、天井４に取り付けられる電子機器本体６と、前記電子機器本体６に対してその上辺側が開閉自在に取り付けられた金属製の支持板９と、この支持板９の表面側に装着したディスプレイ８と、このディスプレイ８の表面側に設けるとともに、このディスプレイ８を前記支持板９に取り付ける四角枠状のフレーム１０と、このフレーム１０の表面側に設けた表面カバー１１と、前記支持板９の背面側に設けた背面カバー１２とを備えている。
【００１５】
前記フレーム１０は、金属板を四角形の枠状に形成することで構成されたものであり、このフレーム１０内にディスプレイ８の外周部分が収納、装着されるようになっている。
【００１６】
そして、このようにフレーム１０とディスプレイ８が一体化された状態で図５に示す如く、フレーム１０を支持板９に装着し、支持板９の背面側からネジ１３をフレーム１０にネジ止めすることで、これらフレーム１０、ディスプレイ８、支持板９が一体化された状態となっている。
【００１７】
また、図７に示す如く、支持板９の背面側には、ディスプレイ８の制御基板１４が装着され、次に、この制御基板１４の背面側の金属板１５で図６に示す如く覆った状態としている。
【００１８】
つまり、制御基板１４は、ディスプレイ８とは電気的には接続されてはいるが、実配置構造としては、この制御基板１４とディスプレイ８の間には金属製の支持板９が介在し、また、制御基板１４の背面側は、金属板１５が非接触状態で覆った状態となっているので、制御基板１４からのノイズがディスプレイ８に影響を与えることがないものとなる。
【００１９】
次に、このように支持板９に一体化されたフレーム１０、ディスプレイ８、制御基板１４、金属板１５の表面側は、表面カバー１１で覆われ、また、支持板９に一体化されたフレーム１０、ディスプレイ８、制御基板１４、金属板１５の背面側は、背面カバー１２で図８から図９のように覆われることとなる。
【００２０】
具体的には、表面カバー１１には、ディスプレイ８を目視することができるように開口部１６が設けられ、また、表示装置７の回動軸部分を覆う断面半円形カバー部１７が形成されている。
【００２１】
さらに、背面カバー１２は、支持板９の背面側を覆った状態になっているが、表示装置７の回動軸部分を覆う断面半円形カバー部１８が形成されている。このような状態において、支持板９に一体化されたフレーム１０、ディスプレイ８、制御基板１４、金属板１５の表面側は、表面カバー１１で覆い、また、これら一体化物の背面側は、背面カバー１２で覆われることになる。そして、このような、状態においては、表面カバー１１と背面カバー１２も一体化され、このとき、図９における下辺側、つまり、開口部１６の下方側においては、表面カバー１１と背面カバー１２は、例えば、嵌合機構により結合された状態となっている。
【００２２】
一方、表面カバー１１と背面カバー１２の上辺側、つまり、断面半円形カバー部１７、１８の上辺部分は、図３からも理解されるように一部重合した状態となっており、この重合部に形成された貫通孔１９にネジ２０を挿入し、支持板９の上辺側にネジ止めしている。そして、このネジ２０の支持板９の上辺側のネジ止めにより、表面カバー１１と背面カバー１２も上記支持板９に一体化されたフレーム１０、ディスプレイ８、制御基板１４、金属板１５に対して、一体化された状態となる。
【００２３】
なお、図３におけるネジ２０のネジ止めが完了すると、このネジ２０部分は、カバー２１により、図２の如く覆われることとなる。
【００２４】
以上の説明で明らかなように、本実施形態の電子機器は、電子機器本体６と、この電子機器本体６に対して開閉自在に設けた表示装置７とを備え、前記表示装置７は、前記電子機器本体６に対して開閉自在に設けた支持板９と、この支持板９の表面側に装着したディスプレイ８と、このディスプレイ８の表面側に設けるとともに、このディスプレイ８を前記支持板９に取り付ける枠状のフレーム１０と、このフレーム１０の表面側に設けた表面カバー１１と、前記支持板９の背面側に設けた背面カバー１２とを備え、前記フレーム１０を金属板で形成するとともに、前記支持板９の背面側には、前記ディスプレイ８の制御基板１４を装着したものであるので、構成の簡素化を図ることができる。
【００２５】
すなわち、本実施形態においては、前記支持板９の表面側にディスプレイ８を装着するために設けた金属製で枠状のフレーム１０により、静電対策を実施するものであるので、別個に静電対策を講じるものよりも構成の簡素化を図ることができるものである。つまり、ディスプレイ８は、手が触れる状態にあり、このときの静電気は、金属製の枠状フレーム１０を介して支持板９に流すことができ、これがディスプレイ８に対するの静電対策を兼ねたものとなっているので、別個静電対策部品を設ける必要がなく、これが構成の簡素化に結びつくものである。
【００２６】
また、本実施形態においては、支持板９の背面側にディスプレイ８の制御基板１４を装着したものであるので、この制御基板１４からのノイズがディスプレイ８に影響を与えにくくなる。
【００２７】
さらに、本実施形態においては、支持板９にディスプレイ８、フレーム１０、制御基板１４を取り付けるものであるので、これら一体化された支持板９、ディスプレイ８、フレーム１０、制御基板１４から表面カバー１１と背面カバー１２を容易に取り外し、例えば破損時の交換や色柄変更も容易に行うことができる。
【産業上の利用可能性】
【００２８】
以上のように、本発明の電子機器は、電子機器本体と、この電子機器本体に対して開閉自在に設けた表示装置とを備え、前記表示装置は、前記電子機器本体に対して開閉自在に設けた支持板と、この支持板の表面側に装着したディスプレイと、このディスプレイの表面側に設けるとともに、このディスプレイを前記支持板に取り付ける枠状のフレームと、このフレームの表面側に設けた表面カバーと、前記支持板の背面側に設けた背面カバーとを備え、前記フレームを金属板で形成するとともに前記支持板の背面側には、前記ディスプレイの制御基板を装着したものであるので、構成の簡素化を図ることができる。
【００２９】
すなわち、本発明においては、前記支持板の表面側にディスプレイを装着するために設けた金属製で枠状のフレームにより、静電対策を実施するものであるので、別個に静電対策を講じるものよりも構成の簡素化を図ることができるものである。
【００３０】
また、本発明においては、支持板の背面側にディスプレイの制御基板を装着したものであるので、この制御基板からのノイズがディスプレイに影響を与えにくくなる。
【００３１】
さらに、本発明においては、支持板にディスプレイ、フレーム、制御基板を取り付けるものであるので、これら一体化された支持板、ディスプレイ、フレーム、制御基板から表面カバーと背面カバーを容易に取り外し、例えば破損時の交換や色柄変更も容易に行うことができる。
【００３２】
したがって、例えば車内の天井部分に装着される電子機器等としての活用が期待されるものとなる。
【符号の説明】
【００３３】
１  自動車
２  車内
３  後部座席
４  天井
５  電子機器
６  電子機器本体
７  表示装置
８  ディスプレイ
９  支持板
１０  フレーム
１１  表面カバー
１２  背面カバー
１３  ネジ
１４  制御基板
１５  金属板
１６  開口部
１７、１８  断面半円形カバー部
１９  貫通孔
２０  ネジ
２１  カバー
【図１】
2013073174.tif 000003
【図２】
2013073174.tif 000004
【図３】
2013073174.tif 000005
【図４】
2013073174.tif 000006
【図５】
2013073174.tif 000007
【図６】
2013073174.tif 000008
【図７】
2013073174.tif 000009
【図８】
2013073174.tif 000010
【図９】
2013073174.tif 000011